(57)【要約】【課題】構成部材の配置を分散させ、デッドスペースを減少し、安価な製造コストにより収差の減少を実現できる光ピックアップ装置を提供すること。【解決手段】、  ディスク記録面１２にレーザ光を照射するための往路では、レーザダイオード２から出射されたレーザ光が偏光ミラー３により反射され、１／４波長板４により偏光され、対物レンズ５から出射されてディスク記録面１２上に収束する。ディスク記録面１２により反射されたレーザ光を受光するための復路においては、ディスク記録面１２により反射されたレーザ光が対物レンズ５により発散され、１／４波長板４により偏光され、偏光ミラー３を透過し、反射膜付き１／４波長板６の全反射膜６１により反射され、偏光ミラー３により反射されフォトダイオード７に入射する。レーザダイオード２とフォトダイオード７とは、偏光ミラー３の両側にそれぞれ配置されている。【選択図】図１
2007066453.tif 000002
【特許請求の範囲】
【請求項１】
レーザ光を出射する出射素子と、レーザ光を反射又は透過する偏光半反射部材と、レーザ光を偏光する１／４波長板と、ディスク記録面にレーザ光を照射する対物レンズと、レーザ光を反射し偏光する反射膜付き１／４波長板と、レーザ光を受光する受光素子とが備えられ、
前記対物レンズと、前記１／４波長板と、前記偏光半反射部材と、前記反射膜付き１／４波長板とは、ディスク記録面の垂直方向において、ディスク記録面側から順に整列するように配置され、
前記出射素子と前記受光素子とは、ディスク記録面と平行な方向において前記偏光半反射部材の両側にそれぞれ配置され、
ディスク記録面にレーザ光を照射するための往路においては、前記出射素子から出射されたレーザ光が、前記偏光半反射部材により反射され、前記１／４波長板により偏光され、前記対物レンズから出射されてディスク記録面上に収束し、
ディスク記録面から反射されたレーザ光を受光するための復路においては、ディスク記録面により反射されたレーザ光が、前記１／４波長板により偏光され、前記偏光半反射部材を透過し、前記反射膜付き１／４波長板の反射膜により反射され、前記偏光半反射部材により反射され前記受光素子に入射することを特徴とする光ピックアップ装置。
【請求項２】
前記偏光半反射部材は、偏光ミラーであり、前記レーザダイオード側に設けられた偏光膜と、前記受光素子側に設けられた透過体とから構成されており、
前記往路における前記レーザダイオード側からの入射されたレーザ光は前記偏光膜によりディスク記録面側にその進行方向を９０°変更され、また、前記復路における前記反射膜付き１／４波長板の反射膜により反射されたレーザ光を前記偏光膜により前記受光素子側にその進行方向を９０°変更するために前記偏光ミラーはディスク記録面と平行な方向に対して４５°傾斜して設けられていることを特徴とする請求項１記載の光ピックアップ装置。
【請求項３】
前記偏光半反射部材は、楔形偏光ミラーであり、前記レーザダイオード側に設けられた偏光膜と、前記受光素子側に設けられた楔形透過体とから構成されており、
前記往路における前記レーザダイオード側から入射されたレーザ光は前記偏光膜によりディスク記録面側にその進行方向を９０°変更され、また、前記復路における前記反射膜付き１／４波長板の反射膜により反射されたレーザ光を前記偏光膜により前記受光素子側にその進行方向を９０°変更するために前記楔形偏光ミラーはディスク記録面と平行な方向に対して４５°傾斜して設けられていることを特徴とする請求項１記載の光ピックアップ装置。
【請求項４】
前記偏光半反射部材は、偏光ビームスプリッタであり、前記レーザダイオード側に設けられた第１プリズム部と、前記受光素子側に設けられた第２プリズム部と、この第１及び第２プリズム部との接合面に設けられた半反射膜とから構成されており、
前記往路における前記偏光部材から入射されたレーザ光は前記半反射膜によりディスク記録面側にその進行方向を９０°変更され、また、前記復路における前記反射膜付き１／４波長板の反射膜により反射されたレーザ光を前記半反射膜により受光素子側にその進行方向を９０°変更するために前記偏光ビームスプリッタの前記半反射膜はディスク記録面と平行な方向に対して４５°傾斜して設けられていることを特徴とする請求項１記載の光ピックアップ装置。
【発明の詳細な説明】
【技術分野】
【０００１】
本発明は光ピックアップ装置に関し、さらに詳しくは光ピックアップ装置が備えている光学系に関する。
【背景技術】
【０００２】
光ピックアップ装置が備えている光学系は、ディスク記録面にレーザ光を照射するための往路と、当該ディスク記録面により反射されたレーザ光が戻ってくるための復路とを分枝する機能を備えている。このような光ピックアップ装置として、従来、図６に示すような光学系の構成を備えた装置１００があった。
【０００３】
この光ピックアップ装置１００においては、レーザダイオード１０１からのレーザ光をＰ偏光とすると、その出射されたレーザ光は、偏光ビームスプリッタ１０２に入射した後、光軸と４５度の方向に形成された光分割面１０３で反射される。そして、１／４波長板１０４を通った後、半反射膜１１１へと入射する。
【０００４】
半反射膜１１１を透過したレーザ光は、レーザ光の全反射を行う全反射膜を有する反射型レンズ（平凹レンズ）１０５により反射される。ここで、平凹レンズ１０５の凹面形状は、入射されたレーザ光に対してディスク厚の違いを補正するための収差を与える。そして、反射型レンズ１０５により反射されたレーザ光は、再び、半反射膜１１１及び、１／４波長板１０４を通過する。
【０００５】
この時点で、レーザ光は１／４波長板１０４を２回通過したことになるためＳ偏光となる。このＳ偏光のレーザ光は、前述の光分割面１０３を通過し、１／４波長板１０６で円偏光となり、対物レンズ１０７を介して光情報記録媒体１０８に微小なスポットを形成して、情報の記録・再生・消去を行う。
【０００６】
そして、光情報記録媒体１０８により反射されたレーザ光は、対物レンズ１０７を介し、１／４波長板１０６を通過後、振動方向が紙面と垂直なＰ偏光となり、偏光ビームスプリッタの光分割面１０３により直角方向に反射され、マルチレンズ１０９を通過して光検出器であるフォトダイオード１１０に入射される。
【０００７】
なお、この装置においては、半反射膜１１１を透過するか反射されるかにより２つの光路が形成されるが、両光路共に対物レンズ１０７から光ディスクの記録面１０８、１１２に微小な照射スポットを形成し、復路を通じてフォトダイオード１１０に入射される点では同様である。
【０００８】
この従来の光ピックアップ装置によると、偏光ビームスプリッタ１０２を用いることにより、その両側にレーザ光を出射するレーザダイオード１０１と、レーザ光を入射するフォトダイオード１１０を配置することができる。即ち、偏光ビームスプリッタ１０２を挟んで、図６における右側方向にレーザダイオード１０１を配置し、また、図６における左側方向にフォトダイオード１１０を配置することができる。このため、光ピックアップ装置の構成部材を左右に効率的に分散して配置することができ、光ピックアップ装置におけるデッドスペースを減少することができた。
【０００９】
【特許文献１】特開平１０−２０８２７７号公報
【発明の開示】
【発明が解決しようとする課題】
【００１０】
しかし、上記のような従来の光ピックアップ装置では、上記レーザ光の往路に多数の光学系部材を配置しているため、ディスク記録面におけるレーザ光の収差が大きくなってしまうという問題点がある。特に、この収差としては非点収差が顕著となり、この非点収差を取り除くためには、各光学系部材の精度を高める必要がある。しかし、このような方法を採ると製造コストの上昇を招くという新たな問題点が発生してしまう。
【００１１】
本発明は、光ピックアップ装置における構成部材の配置を分散させ、当該装置におけるデッドスペースを減少し、且つ、安価な製造コストにより収差の減少を実現することができる光ピックアップ装置を提供することを目的とする。
【課題を解決するための手段】
【００１２】
本発明に係る光ピックアップ装置は、レーザ光を出射する出射素子と、レーザ光を反射又は透過する偏光半反射部材と、レーザ光を偏光する１／４波長板と、ディスク記録面にレーザ光を照射する対物レンズと、レーザ光を反射し偏光する反射膜付き１／４波長板と、レーザ光を受光する受光素子とが備えられ、前記対物レンズと、前記１／４波長板と、前記偏光半反射部材と、前記反射膜付き１／４波長板とは、ディスク記録面の垂直方向において、ディスク記録面側から順に整列するように配置され、前記出射素子と前記受光素子とは、ディスク記録面と平行な方向において前記偏光半反射部材の両側にそれぞれ配置され、ディスク記録面にレーザ光を照射するための往路においては、前記出射素子から出射されたレーザ光が、前記偏光半反射部材により反射され、前記１／４波長板により偏光され、前記対物レンズから出射されてディスク記録面上に収束し、ディスク記録面から反射されたレーザ光を受光するための復路においては、ディスク記録面により反射されたレーザ光が、前記１／４波長板により偏光され、前記偏光半反射部材を透過し、前記反射膜付き１／４波長板の反射膜により反射され、前記偏光半反射部材により反射され前記受光素子に入射することを特徴とする。
【００１３】
本発明によれば、出射素子と受光素子とは、ディスク記録面と平行な方向において偏光半反射部材の両側にそれぞれ配置されているため、光ピックアップ装置の構成部材をディスク記録面と平行な方向において効率的に分散して配置することができ、光ピックアップ装置におけるデッドスペースを減少することができる。そして同時に、ディスク記録面にレーザ光を照射するための往路においては、出射素子から出射されたレーザ光が、偏光部材を通過し、偏光半反射部材により反射され、１／４波長板により偏光され、対物レンズから出射されてディスク記録面上に収束するため、レーザ光の往路に必要最小限の光学系部材が配置されているだけであり、ディスク記録面におけるレーザ光の収差を減少することができる。また、非点収差を効果的に減少させることができるため、非点収差を取り除くための製造コストの上昇を回避することができる。
【００１４】
さらに、本発明の光ピックアップ装置は、前記偏光半反射部材が、偏光ミラーであり、前記レーザダイオード側に設けられた偏光膜と、前記受光素子側に設けられた透過体とから構成されており、前記往路における前記レーザダイオード側からの入射されたレーザ光は前記偏光膜によりディスク記録面側にその進行方向を９０°変更され、また、前記復路における前記反射膜付き１／４波長板の反射膜により反射されたレーザ光を前記偏光膜により前記受光素子側にその進行方向を９０°変更するために前記偏光ミラーはディスク記録面と平行な方向に対して４５°傾斜して設けられていることが好ましい。
【００１５】
さらに、本発明の光ピックアップ装置は、前記偏光半反射部材が、楔形偏光ミラーであり、前記レーザダイオード側に設けられた偏光膜と、前記受光素子側に設けられた楔形透過体とから構成されており、前記往路における前記レーザダイオード側から入射されたレーザ光は前記偏光膜によりディスク記録面側にその進行方向を９０°変更され、また、前記復路における前記反射膜付き１／４波長板の反射膜により反射されたレーザ光を前記偏光膜により前記受光素子側にその進行方向を９０°変更するために前記楔形偏光ミラーはディスク記録面と平行な方向に対して４５°傾斜して設けられていることが好ましい。
【００１６】
本発明によれば、楔形偏光ミラーを用いることにより、この楔形偏光ミラーに非平行光が入射する場合においても、この非平行光によりもたらされる非点収差を効果的に打ち消すことができる。
【００１７】
さらに、本発明の光ピックアップ装置は、前記偏光半反射部材が、偏光ビームスプリッタであり、前記レーザダイオード側に設けられた第１プリズム部と、前記受光素子側に設けられた第２プリズム部と、この第１及び第２プリズム部との接合面に設けられた半反射膜とから構成されており、前記往路における前記偏光部材から入射されたレーザ光は前記半反射膜によりディスク記録面側にその進行方向を９０°変更され、また、前記復路における前記反射膜付き１／４波長板の反射膜により反射されたレーザ光を前記半反射膜により受光素子側にその進行方向を９０°変更するために前記偏光ビームスプリッタの前記半反射膜はディスク記録面と平行な方向に対して４５°傾斜して設けられていることが好ましい。
【発明の効果】
【００１８】
本発明によれば、出射素子と受光素子とは、ディスク記録面と平行な方向において偏光半反射部材の両側にそれぞれ配置されているため、光ピックアップ装置の構成部材をディスク記録面と平行な方向において効率的に分散して配置することができ、光ピックアップ装置におけるデッドスペースを減少することができる。
【００１９】
さらに、ディスク記録面にレーザ光を照射するための往路においては、出射素子から出射されたレーザ光が、偏光半反射部材により反射され、１／４波長板により偏光され、対物レンズから出射されてディスク記録面上に収束するため、レーザ光の往路に必要最小限の光学系部材が配置されているだけであり、ディスク記録面におけるレーザ光の収差を減少することができる。また、非点収差を効果的に減少させることができるため、非点収差を取り除くための製造コストの上昇を回避することができる。
【００２０】
さらに、本発明によれば、楔形偏光ミラーを用いた場合には、この楔形偏光ミラーに非平行光が入射する場合においても、この非平行光によりもたらされる非点収差を効果的に打ち消すことができる。
【発明を実施するための最良の形態】
【００２１】
以下、図１を参照しつつ本発明に係る光ピックアップ装置の光学系に関する第１実施形態を詳細に説明する。この図１は、第１実施形態の光ピックアップ装置の概念説明図である。
【００２２】
符号１は、光ピックアップ装置の光学系であり、レーザ光を出射する出射素子であるレーザダイオード２と、このレーザダイオード２からのレーザ光を偏光する回折格子２１と、レーザ光を反射又は透過する偏光半反射部材である偏光ミラー３と、レーザ光を偏光する１／４波長板４と、ディスク記録面にレーザ光を照射する対物レンズ５と、レーザ光を反射し偏光する反射膜付き１／４波長板６と、レーザ光を受光する受光素子であるフォトダイオード７とを備えている。
【００２３】
そして、対物レンズ５と、１／４波長板４と、偏光半反射部材である偏光ミラー３と、反射膜付き１／４波長板６とは、ディスク記録面１２の垂直方向において、ディスク記録面側から順に整列するように配置されており、出射素子であるレーザダイオード２と受光素子であるフォトダイオード７とは、ディスク記録面１２と平行な方向において偏光半反射部材である偏光ミラー３の両側にそれぞれ配置されている。
【００２４】
ディスク記録面１２にレーザ光を照射するための往路においては、出射素子であるレーザダイオード２から出射されたレーザ光が、偏光半反射部材である偏光ミラー３により反射され、１／４波長板４により偏光され、対物レンズ５から出射されてディスク記録面１２上に収束し、また、ディスク記録面１２から反射されたレーザ光を受光するための復路においては、ディスク記録面により反射されたレーザ光が、対物レンズ５により発散され、１／４波長板４により偏光され、偏光半反射部材である偏光ミラー３を透過し、反射膜付き１／４波長板６の全反射膜６１により反射され、偏光半反射部である偏光ミラー３により反射され受光素子であるフォトダイオード７に入射するように構成されている。
【００２５】
なお、符号１１で示すのは光ディスクであり、上述したように符号１２は光ディスク１１のディスク記録面である。また、レーザ光の往路は図１に示す矢印Ａと矢印Ｂにより、レーザ光の復路は図１に示す矢印Ｃ、矢印Ｄ、矢印Ｅにより示されている。
【００２６】
対物レンズ５と、１／４波長板４と、偏光ミラー３と、反射膜付き１／４波長板６とは、ディスク記録面１２の垂直方向において、ディスク記録面１２側から順に整列するように配置されている。また、レーザダイオード２とフォトダイオード７は、ディスク記録面１２と平行な方向（図１において矢印Ｆにより示されている。）において、偏光反射ミラー３の両側にそれぞれ配置されている。
【００２７】
レーザダイオード２は、レーザ光の出射素子であり、そのレーザ光の出射方向は、偏光ミラー３の偏光膜３１に対向するように設定されている。
【００２８】
偏光半反射部材である偏光ミラー３は、レーザダイオード２と対向するように設けた偏光膜３１と、フォトダイオード７に対向するように設けた透過体３２とから構成されている。即ち、透過体３２は偏光膜３１の反射面の背面側に設けられている。
【００２９】
第１実施形態において、偏光ミラー３は、ディスク記録面１２の下方に配置されると共に、ディスク記録面１２と平行な方向（矢印Ｆ）に対して４５°の傾斜角度をつけて配置されている。この傾斜角度は、レーザ光の往路における回折格子２１から入射されたレーザ光を偏光膜３１によってディスク記録面１２側に９０°方向を変更し、また、レーザ光の復路における反射膜付き１／４波長板６の全反射膜６１により反射されたレーザ光を偏光膜３１によってフォトダイオード７側に９０°方向を変更するためのものである。
【００３０】
１／４波長板４は、偏光ミラー３のディスク記録面１２側、即ち、偏光ミラー３と後述する対物レンズ５との間に配置されている。この１／４波長板は、レーザ光の往路における偏光ミラー３から入射されたレーザ光を円偏光に偏光し、また、レーザ光の復路における対物レンズ５からの入射されたレーザ光を直線偏光に偏光するためのものである。
【００３１】
対物レンズ５は、１／４波長板のディスク記録面１２側、即ち、１／４波長板４とディスク記録面１２との間に配置されている。この対物レンズ５は、レーザ光の往路において１／４波長板４から出射された円偏光のレーザ光線を収束し、また、レーザ光の復路においてディスク記録面１２により反射されたレーザ光を発散させる。
【００３２】
反射膜付き１／４波長板６は、ディスク記録面１２側に設けた１／４波長板部６２と、その１／４波長板部６２の裏面側に設けた全反射膜６１とから構成されている。この反射膜付き１／４波長板６は、偏光ミラー３の下方においてディスク記録面１２と平行な方向に沿って延在している。この反射膜付き１／４波長板６は、後述するレーザ光の復路Ｃにおいて偏光ミラー３から入射されたレーザ光を偏光すると共に反射し、後述するレーザ光の復路Ｄにおいて全反射膜６１により反射されたレーザ光を偏光する。
【００３３】
レーザ光の受光素子であるフォトダイオード７は、そのレーザ光の入射方向が偏光ミラー３の透過体３２に対向するように設定されている。
【００３４】
以下、第１実施形態の光ピックアップ装置１における光学系の作用効果を説明する。最初に、レーザ光の往路について説明する。このレーザ光の往路においては、レーザダイオード２から出射されたレーザ光が、偏光ミラー３の偏光膜３１により反射され、１／４波長板４により偏光され、最後に対物レンズ５から出射されたレーザ光がディスク記録面１２上に収束する。
【００３５】
レーザダイオード２から出射されたレーザ光は、最初Ｓ偏光のレーザ光である。このＳ偏光のレーザ光は、偏光ミラー３の偏光膜３１により反射され、ディスク記録面１２側に９０°その進行方向を変更される。
【００３６】
そして、偏光膜３１により反射されたレーザ光は、１／４波長板４に入射され円偏光に偏光される。この円偏光されたレーザ光は対物レンズ５によりディスク記録面１２上に収束する。
【００３７】
次に、レーザ光の復路について説明する。このレーザ光の復路においては、ディスク記録面１２により反射されたレーザ光が、対物レンズ５により発散され、１／４波長板４により偏光され、偏光ミラー３を透過し、反射膜付き１／４波長板６の全反射膜６１により反射され、最後に、偏光ミラー３の偏光膜３１に反射されフォトダイオード７に入射する。
【００３８】
ディスク記録面１２により反射されたレーザ光は、対物レンズ５により発散された後、１／４波長板４に入射する。このためレーザ光は、往路のＳ偏光とは直交するＰ偏光に偏光される。１／４波長板４から出射したＰ偏光のレーザ光は、偏光ミラー３の偏光膜３１を透過して反射膜付き１／４波長板６に入射する。
【００３９】
この反射膜付き１／４波長板６に入射したＰ偏光のレーザ光は、１／４波長板部６２を通過した後、全反射膜６１により反射され、再び１／４波長板部６２を通過するため、Ｐ偏光とはその振動方向が直交するＳ偏光に偏光される。そして、偏光膜３１により反射された反射されたレーザ光は、フォトダイオード７側にその進行方向を９０°変更された後、フォトダイオード７に入射される。
【００４０】
上記第１実施形態においては、レーザダイオード２とフォトダイオード７とは、ディスク記録面１２と平行な方向において、偏光ミラー３の左右両側にそれぞれ配置されているため、光ピックアップ装置１の構成部材を偏光ミラー３の左右両側に効率的に分散して配置することができ、光ピックアップ装置１におけるデッドスペースを減少することができる。同時に、第１実施形態においては、レーザ光の往路における光学系部材は必要最小限度の構成となっているため、ディスク記録面に収束したレーザ光の収差を最小限に抑えることができる。
【００４１】
以下、上記第１実施形態の光ピックアップ装置１における光学系の実施例について説明する。図２は、光ピックアップ装置１の光学系の実施例を示す斜視図である。この光ピックアップ装置１は、ＣＤ用のレーザダイオード２Ａ及びＤＶＤ用のレーザダイオード２Ｂとを備えている。このため、レーザダイオード２Ａとレーザダイオード２Ｂの各レーザ光の出射側には、それぞれ回折格子２１Ａ、２１Ｂが配設されている。さらに、レーザダイオード２Ａとレーザダイオード２Ｂの各レーザ光を偏光ミラー３に入射するための波長選択ビームスプリッタ２１Ｃが設けられている。また、符号４１により示すのはコリメータレンズであり、符号５１により示すのはＣＤ用のレーザ光の周辺光をカットするための遮光板であり、符号７１はセンサレンズである。
【００４２】
次に、本発明に係る第２実施形態の光ピックアップ装置１Ａにおける光学系について図３を参照しつつ説明する。この図３は、第２実施形態の光ピックアップ装置１Ａにおける光学系を示す概念説明図であり、上記第１実施形態に用いられた同一の符号が用いられている部材は、同一部材を示している。
【００４３】
光ピックアップ装置１Ａでは、上記第１実施形態における偏光ミラー３の代わりに偏光ビームスプリッタ３Ａを用いている。この偏光ビームスプリッタ３Ａは、レーザダイオード２に対向するように配設した第１プリズム３４と、フォトダイオード７に対向するように配設した第２プリズム３５と、この第１及び第２プリズム３４、３５との接合面に設けた半反射膜３６とから構成されている。そして、この半反射膜３６は、ディスク記録面１２と平行な方向に対して４５°傾斜して設けられている。
【００４４】
なお、反射膜付き１／４波長板６は、偏光ビームスプリッタ３Ａの底面に直接接合されているため、光ピックアップ装置の高さ（ディスク記録面１２の垂直方向におけるサイズ）を小さくでき、また、この反射膜付き１／４波長板６の設置角度等の調整を独立した部材として行う必要がない。
【００４５】
第２実施形態の作用効果は、ほぼ第１実施形態の作用効果と同様である。なお、偏光ビームスプリッタ３Ａは、往路Ａのレーザ光がＳ偏光であるためこれを反射し、復路Ｃのレーザ光がＰ偏光であるためこれを透過し、また、復路Ｄのレーザ光が偏光であるためこれを反射する。
【００４６】
図４に示すのは、第２実施形態の光ピックアップ装置１Ａにおける光学系の実施例であり、偏光ビームスプリッタ３Ａと、反射膜付き１／４波長板６がこの偏光ビームスプリッタ３Ａと接合されている点を除き、図２に示す第１実施形態の実施例と同様である。
【００４７】
次に、本発明に係る第３実施形態の光ピックアップ装置１Ｄにおける光学系について図５を参照しつつ説明する。この図５は、第３実施形態の光ピックアップ装置１Ｄにおける光学系の概念説明図であり、上記第１実施形態に用いられた同一の符号が用いられている部材は、同一部材を示している。
【００４８】
光ピックアップ装置１Ｄでは、上記第１実施形態における偏光ミラー３の代わりに楔形偏光ミラー９が設けられている。このため、往路Ａ及び復路Ｄにおいて楔形偏光ミラー９に非平行光が入射する場合においては、この非平行光によってもたらされる非点収差を効率的に打ち消すことができる。なお、符号９１は偏光膜を示し、また符号９２は楔形透過体を示している。
【図面の簡単な説明】
【００４９】
【図１】本発明に係る光ピックアップ装置の第１実施形態における光学系の概念説明図である。
【図２】図１に示す第１実施形態の実施例を示す斜視図である。
【図３】本発明に係る光ピックアップ装置の第２実施形態における光学系の概念説明図である。
【図４】図３に示す第２実施形態の実施例を示す斜視図である。
【図５】本発明に係る光ピックアップ装置の第３実施形態における光学系の概念説明図である。
【図６】従来の光ピックアップ装置における光学系を示す概念説明図である。
【符号の説明】
【００５０】
１ 光ピックアップ装置
１１ 光ディスク
１２ ディスク記録面
２ レーザダイオード
２Ａ ＣＤ用レーザダイオード
２Ｂ ＤＶＤ用レーザダイオード
２１ 回折格子
２１Ａ、２１Ｂ 回折格子
２１Ｃ 波長選択ビームスプリッタ
３ 偏光ミラー
３Ａ 偏光ビームスプリッタ
３１ 偏光膜
３２ 透過体
３４ 第１プリズム
３５ 第２プリズム
３６ 半反射膜
４ １／４波長板
４１ コリメータレンズ
５ 対物レンズ
５１ 遮光板
６ 反射膜付き１／４波長板
６１ 全反射膜
６２ １／４波長板部
７ フォトダイオード
７１ センサレンズ
９ 楔形偏光ミラー
９１ 偏光膜
９２ 楔形透過体
【図１】
2007066453.tif 000003
【図２】
2007066453.tif 000004
【図３】
2007066453.tif 000005
【図４】
2007066453.tif 000006
【図５】
2007066453.tif 000007
【図６】
2007066453.tif 000008